【手続補正書】
【提出日】平成28年9月5日(2016.9.5)
【手続補正１】
【補正対象書類名】明細書
【補正対象項目名】０００８
【補正方法】変更
【補正の内容】
【０００８】図１は回転体の表と裏を決めて使う構造のものに設置した例である。切れ刃の後ろ側のエンド部分をわずかに上方に湾曲した構造である。この湾曲部は上から見れば三角形構造をしており、内側の面ほど回転面から高くなっている。刈り刃で切断された草はこの部分でわずかに持ち上げられて、傾斜が内高となっているので外側に排出されるように移動する。刈られた草は持ち上げられて外側に移動しやすい。持ち上げられると、次の刃が１度切られた草に当たることが少なくなり、回転体の動きが軽くなり、操作性が増してくる。巻き付きの低減、操作性の向上など身体的な負荷も軽減され、作業能率は良くなる。さらに、内側に草の外部への排出として、ほぼ三角形状の反り面体を設けて、内側に寄ってきた草を外部に排出する。中心部への巻き付きを防ぐには草を外部に排出するようにすることが、もっとも効果を持つ。
【手続補正２】
【補正対象書類名】明細書
【補正対象項目名】０００９
【補正方法】変更
【補正の内容】
【０００９】図２はチップソーに取り付けた例である。円周状の３６枚のチップの数は例では２８枚刃で８個少なくなるが、この反り返りの効果は草刈りにおいては良い効果を発揮する。７の部分にもチップを設けてもよいが、例では付けていない。これも、中心付近に図１で付けた反り面体と同じものを付けて巻き付きを防いでいる。
【手続補正３】
【補正対象書類名】明細書
【補正対象項目名】００１２
【補正方法】変更
【補正の内容】
【００１２】図５は８枚刃に７を４か所付けた例である。７の前部に刈り刃を設けた例としている。切り刃があると刃を砥いで他の刃と同じように削って、ちびるので回転の障害にはなりにくい。これも、中心付近に図１で付けた反り面体と同じものを付けて巻き付きを防いでいる。
【手続補正４】
【補正対象書類名】明細書
【補正対象項目名】００１４
【補正方法】変更
【補正の内容】
【００１４】補足であるが、図６は単独で刈り刃の回転体の上面に重ねて使用する例である。この反り面体によって、中心付近に来る刈られた草を外部に排出して巻き付きを防止する。
【手続補正５】
【補正対象書類名】明細書
【補正対象項目名】００１９
【補正方法】変更
【補正の内容】
【００１９】刈り取られた草が横に倒れて、回転体の上に乗っても高速で回転しているので、回転体と草との間に空間ができることになり、結果として軸部への巻きつきがほぼなくなる。さらに、内側の反り面体の三角形構造で外側に刈り草が排出されて、二重に巻き付き防止効果が生まれる。
【手続補正６】
【補正対象書類名】明細書
【補正対象項目名】００２０
【補正方法】変更
【補正の内容】
【００２０】実証実験として、図１で示すように、刈り刃の後ろ面を三角形の形状で反りを中心側に高くするように作った。これでは［００１７］［００１８］［００１９］で示すようなかなりの改善点を実感した。さらに、巻き付きが極端にすくなくなるなど良い効果を上げた。本発明の究極の形状と思われる。つば茅の類で背丈１ｍ程度のものを刈ったが、ほぼ巻き付きはなかった。しかも、刈り草が持ち上がり外側に逃げて、操作性が向上して楽な草刈りを実感した。本発明では巻きつき防止の刃の付いた小さな回転体は無いほうが状況はよい。しかし、付ければ図６で示す三角形の反り面体をもつカップ状ものを付ければ効果があると考えられる。チップソーについては図７で示すものを加工して実験したが［００１７］［００１８］で示すような効果に加えチップソーのよい切断感触を実感できた。チップソーは新しい内は巻き付きが少なく刈りやすい印象であるが、使い古してくると巻き付きやすくなり、操作においても重くなる印象である。ところが、この加工を施したものは、操作性・刈りやすさ・巻き付きの少なさ・刈る部分の見やすさなどにおいて良い効果を示した。従来の草刈りの重荷から、かなり解放されて楽しく刈れるとの印象が強かった。効果として、長い巻きつきやすい草の草刈りはかなりの時間短縮で終了したとの実感であった。操作性も向上して草刈り自体がかなり楽になった印象である。
【手続補正７】
【補正対象書類名】明細書
【補正対象項目名】００２２
【補正方法】変更
【補正の内容】
【００２２】
【図１】本発明において、４枚刃の刈り刃において、各々の刃の後ろ側に三角形の反り面体４を設けた斜図と三角形の反り面体４の断面図である。さらに中心付近に反り面体をつけて、草の外部への排出をしやすくした例で、製品にしたい１例である。
【図２】本発明でチップソーの円周状の４か所に三角形状の反り面体４を設けた斜図である。さらに内側に三角形状の反り面体を設けて、中心に寄る草を外部に排出する働きを強めた例である。製品にしたい１例である。
【図３】本発明で図２のＧ部の詳細図である。
【図４】本発明で刈り草の持ち上げと外側への移動を説明した図である。
【図５】外周に８枚刃の切り刃をもち、埋め込み刃（チップ）を持たない回転体に三角形の反り面体４を設置したモデルの斜図である。さらに内側に三角形状の反り面体を設けて、中心に寄る草を外部に排出する働きを強めた例である。製品にしたい１例である。
【図６】補足的に考えた例である。回転体の上面に巻き付く防止の目的で、反り面体をもったカップ状のものを設けることで中心部への巻き付きを防ぐ発明品の例である。製品にしたい１例である。
【図７】従来のチップソーの内側に型プレスで反り面体を設けて、刈り草の外部への移動を強くして巻き付き防止を強化して、しかも左右への操作性を軽くした例である。発明品の主流をなすモデルとなり得る。
【手続補正８】
【補正対象書類名】明細書
【補正対象項目名】００２４
【補正方法】変更
【補正の内容】
【００２４】図１は面の一部を反らして、刈った草を持ち上げ、外側に移動さすようにした例である。実験用に作ったものに近く、巻き付き防止、操作性において大変優れている。図２・図７はチップソーの回転体に設置した例である。チュップソーはよく使われるし、古くなっても刃を研磨すれば新品同様に使える本発明の図１と同じように中心を成すものである。図５は従来の８枚刃に設けた例である。刃部が４枚増えて１２枚刃となる。工夫して従来通りの８枚刃で仕上げてもよいものが出来る。反り面体の翼の一部に切り刃を設けることは、刃を研磨すると、この部分も同時に研磨するので最善策と思われる。これもよい効果が期待できる。図６は別にカップ状のものに反り面体の三角形状のものを設けて草の排出作用で巻き付きを防止するものである。製品としては図１、図２、図５、図７で示すものがよい効果を発揮し、本発明の主流をなす製品モデルとなり得る。
【手続補正９】
【補正対象書類名】特許請求の範囲
【補正対象項目名】全文
【補正方法】変更
【補正の内容】
【特許請求の範囲】
【請求項１】
回転体の外周に切れ刃を設ける草刈り用の回転体において、中心付近の草を外部に反り面体構造で排出することで、巻き付きを防ぐカップ状の部品。
【請求項２】
回転体の外周に切れ刃を設ける草刈り用の回転体において、回転体の切れ刃の後方と内側に草を持ち上げる目的で、または草を排出する目的で回転面より反り上がった面をもつ草刈り刃。
【手続補正１１】
【補正対象書類名】図面
【補正対象項目名】図１
【補正方法】変更
【補正の内容】
【図１】
2016220664.tif 000001
【手続補正１２】
【補正対象書類名】図面
【補正対象項目名】図２
【補正方法】変更
【補正の内容】
【図２】
2016220664.tif 000002
【手続補正１３】
【補正対象書類名】図面
【補正対象項目名】図５
【補正方法】変更
【補正の内容】
【図５】
2016220664.tif 000003
【手続補正１４】
【補正対象書類名】図面
【補正対象項目名】図６
【補正方法】変更
【補正の内容】
【図６】
2016220664.tif 000004
【手続補正１５】
【補正対象書類名】図面
【補正対象項目名】図７
【補正方法】変更
【補正の内容】
【図７】
2016220664.tif 000005